(57)【要約】      （修正有）【課題】操作者が容易に操作し、素早く組み立てることができる、防水機能を有する灯具装置を提供する。【解決手段】アルミニウムダイキャストである放熱ホルダー１０と、放熱ホルダー内に係合される電源モジュールであって外縁に第１の防水部材Ａが嵌設される電源ハウジングと、電源ハウジングの両端にそれぞれ設けられた導電ホルダー及び電源コネクタとを含む電源モジュール２０と、発光モジュール３０と、第２の防水部材Ｂが嵌設され、放熱ホルダーの開口にロックされる光透過カバー４０と、を備え、電源モジュール、発光モジュール、及び光透過カバーは順次に放熱ホルダーに取り付けられ、第１の防水部材Ａ及び第２の防水部材Ｂはそれぞれ放熱ホルダーの第２の開口１０２及び第１の開口１０１と互いに密着係合されることにより、防水効果を図る。【選択図】図２
0003186758.tif 000002
【実用新案登録請求の範囲】
【請求項１】
アルミニウムダイキャストであり、内部に軸方向に沿って第１の開口及び第２の開口が穿設され、前記第１の開口の内側にロック構造が設けられ、内部の前記第２の開口に近接する箇所に位置決め構造が設けられている放熱ホルダーと、
前記放熱ホルダー内に係合される電源モジュールであって、外縁に係合構造が設けられ、前記放熱ホルダーの前記位置決め構造に対応して係合され、外縁に第１の防水部材が嵌設される電源ハウジングと、前記電源ハウジングの一端に固設される導電ホルダーと、前記電源ハウジングの他端に嵌設され、前記導電ホルダーに電気的に接続される電源コネクタと、を含む電源モジュールと、
前記放熱ホルダーの前記第１の開口に設けられ、前記電源モジュールの前記電源コネクタに電気的に接続される発光モジュールと、
外縁に前記放熱ホルダーの前記第１の開口に対応する前記ロック構造が設けられ、前記ロック構造に第２の防水部材が嵌設される光透過カバーと、を備え、
前記電源モジュール、前記発光モジュール、及び前記光透過カバーは、順次に前記放熱ホルダーに取り付けられ、前記第１の防水部材及び前記第２の防水部材は、それぞれ前記放熱ホルダーの前記第１の開口及び前記位置決め構造と互いに密着係合されることにより防水機能を有することを特徴とする防水灯具装置。
【請求項２】
前記放熱ホルダーの前記位置決め構造は、複数のロック孔溝を有し、
前記電源ハウジングの前記係合構造は、前記位置決め構造に対応する複数のロック孔を有することを特徴とする請求項１に記載の防水灯具装置。
【請求項３】
前記複数のロック孔を穿設して、対応する前記複数のロック孔溝にロックすることにより前記電源ハウジングを前記放熱ホルダー内に固設する、複数のロック部材をさらに備えることを特徴とする請求項２に記載の防水灯具装置。
【請求項４】
前記光透過カバーと前記発光モジュールとの間に設けられる光反射カバーをさらに含むことを特徴とする請求項１から請求項３のいずれか１つに記載の防水灯具装置。
【請求項５】
前記放熱ホルダーの外縁には複数の放熱フィンが設けられていることを特徴とする請求項１から請求項４のいずれか１つに記載の防水灯具装置。
【請求項６】
前記電源モジュールの前記導電ホルダーは、エジソンネジキャップジョイントであることを特徴とする請求項１から請求項５のいずれか１つに記載の防水灯具装置。
【請求項７】
前記放熱ホルダーの前記第１の開口には少なくとも一つの載置板が設けられ、
前記発光モジュールは、前記少なくとも一つの載置板に設けられていることを特徴とする請求項１から請求項６のいずれか１つに記載の防水灯具装置。
【請求項８】
前記第１の防水部材及び前記第２の防水部材の夫々はＯリング又は環状防水パッキンであることを特徴とする請求項１から請求項７のいずれか１つに記載の防水灯具装置。
【請求項９】
前記電源モジュールは、露出孔溝を有する電源上蓋をさらに含み、
前記電源コネクタの一端は、前記露出孔溝に設けられ、
前記発光モジュールは、前記電源コネクタに対応する電気コネクタを有し、
前記電気コネクタは、前記露出孔溝内の前記電源コネクタに挿設されることで前記電源コネクタに電気的に接続されることを特徴とする請求項１から請求項８のいずれか１つに記載の防水灯具装置。
【考案の詳細な説明】
【技術分野】
【０００１】
本考案は、灯具装置に関し、特に防水機能を有する灯具に関するものである。
【背景技術】
【０００２】
ＬＥＤ灯具は従来の共通規格口金、ランプシェード、発光ダイオードモジュール、放熱カバー、絶縁ケース、電源回路板、及び電極蓋に大きく分けられる。従来の組み立て方法としては、まず、絶縁ケースを放熱カバーの下方から内部に入れ位置決めを行い、次に、電源回路板を絶縁ケースに取り付けて位置決めを行い、最後に、電源回路板を電極蓋と電気的に接続させる。しかしながら、手作業により絶縁ケースを一つずつ放熱カバー内に入れて、ネジで絶縁ケースを放熱カバーの所定位置に螺合固定する場合は、極めて手間がかかり、生産作業時間が大幅に増加し、製造メーカの生産効率に悪い影響を及ぼし、また、作業者の操作ミスによって該絶縁ケース又は電極蓋が放熱カバーの所定位置に固定されず、該発光ダイオードバルブの製品の歩留まりが悪くなってしまう問題があった。
【０００３】
また、上述の口径の相対的に大きい灯具（例えばＥ３９）は、広範囲の照明として室外に設けられるのが一般的である。室外に設けられるため、浸水の問題がよく起こる。しかしながら、従来の口径の相対的に大きい灯具は、ほとんど防水機能を有しないため、使用上の不便がある。
【考案の概要】
【考案が解決しようとする課題】
【０００４】
本考案は、防水効果を図るために放熱ホルダーの各開口に防水部材を加え、さらに独立式電源モジュールと組み合わせることにより、操作者が容易に操作し、素早く組み立てることができるという効果を図る、防水機能を有する灯具装置を提供することを目的とする。
【課題を解決するための手段】
【０００５】
本考案は、アルミニウムダイキャストであり、内部に軸方向に沿って第１の開口及び第２の開口が穿設され、第１の開口の内側にロック構造が設けられ、内部の第２の開口に近接する箇所に位置決め構造が設けられている放熱ホルダーと、放熱ホルダー内に係合される電源モジュールであって、外縁に係合構造が設けられ、放熱ホルダーの位置決め構造に対応して係合され、外縁に第１の防水部材が嵌設される電源ハウジングと、電源ハウジングの一端に固設される導電ホルダーと、電源ハウジングの他端に嵌設される電源コネクタと、を含む電源モジュールと、放熱ホルダーの第１の開口に設けられ、電源モジュールの電源コネクタに電気的に接続される発光モジュールと、外縁に放熱ホルダーの第１の開口に対応するロック構造が設けられ、ロック構造に第２の防水部材が嵌設される光透過カバーと、を備え、電源モジュール、発光モジュール、及び光透過カバーは、順次に放熱ホルダーに取り付けられ、第１の防水部材及び第２の防水部材は、それぞれ放熱ホルダーの第１の開口及び位置決め構造と互いに密着係合されることにより、防水機能を有することを特徴とする防水灯具装置を提供する。
【０００６】
また、防水灯具装置は、光透過カバーと発光モジュールとの間に設けられる光反射カバーをさらに備えてもよい。放熱ホルダーは、アルミニウムダイキャストであり、放熱ホルダーの外周にそれと一体成形する複数の放熱フィンが設けられてもよい。電源モジュールの導電ホルダーは、エジソンネジキャップジョイント（Ｅｄｉｓｏｎ  ｓｃｒｅｗ−ｃａｐ  ｆｉｔｔｉｎｇｓ）など、例えばＥ３９であってもよい。第１の防水部材及び第２の防水部材は、Ｏリング(環状防水パッキン)であってもよい。
【考案の効果】
【０００７】
本考案は、以下の優れた効果を有する。
１．放熱カバーの２つの開口に防水構造が設けられるため、灯具装置は、防水効果を奏することができる。
２．独立式電源モジュールと組み合わせることにより、放熱ホルダーの広口部から嵌入し組み立てることができるため、素早く組み立てることができ、維持保守が容易になる効果を奏することができる。
３．放熱ホルダー及びその外周に設けられた放熱フィンは、アルミニウムダイキャスト製法によりホルダーとフィンは同時成形可能となり、さらに放熱ホルダーの平均厚さが従来より薄くなり、放熱効果が改善され、また、一体成形であるため、生産の加工時間が短くなり、生産効率が向上する効果を奏することができる。
【図面の簡単な説明】
【０００８】
【図１】本考案に係る防水灯具装置の第１の実施例の立体分解図である。
【図２】本考案に係る防水灯具装置の第１の実施例の立体分解図である。
【図３】本考案に係る防水灯具装置の第１の実施例の組み立て模式図である。
【図４】本考案に係る防水灯具装置の第１の実施例の他の組み立て模式図である。
【図５】本考案に係る防水灯具装置の第２の実施例の立体分解図である。
【図６】本考案に係る防水灯具装置の第２の実施例の放熱ホルダーの断面図である。
【図７】本考案に係る防水灯具装置の第２の実施例の電源モジュールの断面図である。
【図８】本考案に係る防水灯具装置の第２の実施例の組み立て模式図である。
【図９】本考案に係る防水灯具装置の第２の実施例の他の組み立て模式図である。
【考案を実施するための形態】
【０００９】
［第１の実施例］
図１及び図２は、本考案に係る防水灯具装置の立体分解図である。図３及び図４は、本考案に係る防水灯具装置の組み立て模式図である。図１乃至図４に示すように、防水灯具装置１は、放熱ホルダー１０と、電源モジュール２０と、発光モジュール３０と、光透過カバー４０と、第１の防水部材Ａと、第２の防水部材Ｂと、を含む。放熱ホルダー１０は、第１の開口１０１及び第２の開口１０２を有する。電源モジュール２０には、第１の防水部材Ａが嵌設される。電源モジュール２０は、放熱ホルダー１０の第１の開口１０１から第２の開口１０２の方向へ放熱ホルダー１０内に穿設される。発光モジュール３０は、放熱ホルダー１０の第１の開口１０１に装着される。光透過カバー４０には、第２の防水部材Ｂが嵌設される。光透過カバー４０は、放熱ホルダー１０の第１の開口１０１にロックされる。
【００１０】
より詳しくは、放熱ホルダー１０内には軸方向に沿って第１の開口１０１及び第２の開口１０２が穿設される。第１の開口１０１の内側にはロック構造１０３が設けられる。放熱ホルダー１０の内部における第２の開口１０２に近接する箇所には位置決め構造１０４が設けられる。放熱ホルダー１０は、アルミニウムダイキャストであるのが好ましい。放熱ホルダー１０の外縁は、放熱ホルダー１０と一体成形する複数の放熱フィン１０５を有するものであってもよい。実際の応用において、アルミニウムダイキャストにより、厚さの比較的に薄い（例えば１ｍｍ）放熱ホルダー１０を製造することができる。これにより、従来のプラスチップ成形方法よりも好ましい放熱効果を奏することができる。電源モジュール２０は、電源ハウジング２１と、電源コネクタ２２と、導電ホルダー２３と、を含む。電源コネクタ２２は、電源ハウジング２１内に設けられる。導電ホルダー２３は、電源ハウジング２１の一端に設けられる。特に、導電ホルダー２３は、螺旋構造であるのが好ましい。即ち、導電ホルダー２３は、エジソンネジキャップジョイント（Ｅｄｉｓｏｎ ｓｃｒｅｗ―ｃａｐ ｆｉｔｔｉｎｇｓ）などであってもよく、例えばＥ３９などであってもよい。電源ハウジング２１の外縁には、係合構造２１１及び防水溝２１２が設けられる。電源モジュール２０が放熱ホルダー１０内に設けられる場合、電源ハウジング２１の係合構造２１１を放熱ホルダー１０内の位置決め構造１０４と互いに係合することにより、電源モジュール２０を放熱ホルダー１０内に固設させる。ここで注意すべき点は、電源モジュール２０には第１の防水部材Ａが設けられる。即ち、第１の防水部材Ａが電源ハウジング２１の防水溝２１２に嵌設される。これにより、電源モジュール２０が放熱ホルダー１０内に設けられた場合、第１の防水部材Ａと第２の開口１０２と相互に密着係合できるため、放熱ホルダー１０の第２の開口１０２が防水機能を奏することができる点である。発光モジュール３０は、放熱ホルダー１０の第１の開口１０１に設けられる。発光モジュール３０は、ロック部材（例えばネジなど）又は接合により設けられるようにしてもよい。図面においてロックの形式が示されているが、それらに限定されるものではない。発光モジュール３０は、電源モジュール２０に電気的に接続される。好ましい実施態様において、発光モジュール３０はＬＥＤ発光モジュールであってもよい。光透過カバー４０は、放熱ホルダー１０に対応するロック構造４０１（説明の簡単化のために、他の符号で示す）を有する。光透過カバー４０には第２の防水部材Ｂが嵌設されている。光透過カバー４０がロック構造４０１により放熱ホルダー１０のロック構造１０３と相互にロック固定される場合、第２の防水部材Ｂが同時に密着係合されるため、放熱ホルダー１０の第１の開口１０１は、防水効果を奏することができる。上述第１の防水部材Ａ及び第２の防水部材Ｂは、Ｏリング(環状防水パッキン)であるのが好ましいが、それに限定されるものではない。
【００１１】
ここで、実際の応用において、電源モジュール２０は、独立に組み立てられる部材であってもよい。即ち、電源モジュール２０は、各種の異なる放熱ホルダー１０に直接組み付けることができる。従来では電源回路板及びそれに関連する電源部品を放熱ホルダー１０に散布して配置する組み立てる方法に対して、本考案の独立式電源モジュール２０は、素早く組み立てることができ、維持保守が容易になる利点を有する。さらに、従来では、電源関連部品は、放熱ホルダー１０の第２の開口１０２（比較的に小さい開口）から第１の開口１０１の方向へ装着される。しかしながら、このような組み立て方法は、電源部品の位置決めにおいて極めて手間がかかる（まず第２の開口１０２から装着して、第１の開口１０１を通じて位置の確認及び固定を行う必要がある）ことがある。本考案に係る電源モジュール２０は、放熱ホルダー１０の第１の開口１０１（比較的に大きい開口）から、放熱ホルダー１０の第２の開口１０２に直接穿設し、第１の開口１０１を直接通じてその装着位置を確認し固定することができるため、従来の技術よりも便利である。
【００１２】
上述のように、図２乃至図４に示すように、好ましい組立工程は、まず、電源モジュール２０に第１の防水部材Ａを嵌設し、電源モジュール２０を放熱ホルダー１０の第１の開口１０１から内部へ装着することにより、電源モジュール２０の導電ホルダー２３が放熱ホルダー１０の第２の開口１０２を穿設し、さらに電源モジュール２０の係合構造２１１を放熱ホルダー１０の位置決め構造１０４に対応して組み立て位置決め及び組み付け固定を行う。電源モジュール２０の装着が完成した後、発光モジュール３０を放熱ホルダー１０の第１の開口１０１に固設する。最後に、光透過カバー４０に第２の防水部材Ｂを嵌設し、ロック構造４０１により光透過カバー４０を放熱ホルダー１０の第１の開口１０１にロックすることにより、組み立て工程を完成する。上述の組み立て関連工程は、従来技術の組立工程を効果的に簡単化することができるとともに、灯具の組み立てに必要な作業時間を効果的に短くすることができる。
【００１３】
［第２の実施例］
図５乃至図９は、本考案に係る好ましい実施態様の模式図である。ここで注意すべき点は、この実施例において、各部材の組み付け関連方法が、前の実施例と類似しているため、上述実施例の内容を参照されたく、この実施例においては、好ましい組み立て方法及びその部材のみについて説明する点である。
【００１４】
前の実施例に対して、電源モジュール２０は、複数のロック部２４１を有する電源上蓋２４をさらに含み、電源ハウジング２１の外縁は、電源上蓋２４の複数のロック部２４１に対して、さらに外方へ延在して対応するロック部２１１２を有してもよい。発光モジュール３０は、発光ユニット３１と、第１の載置板３２と、光反射カバー３３と、第２の載置板３４とを含む。発光ユニット３１は、第１の載置板３２に設けられ、モジュールされた発光ダイオードであってもよい。光反射カバー３３は、発光ユニット３１に嵌設され、第１の載置板３２に固設される。第２の載置板３４は、放熱ホルダー１０の第１の開口１０１に設けられ、第１の載置板３２は、第２の載置板３４に固設される。言い換えれば、第２の載置板３４、第１の載置板３２、発光ユニット３１及び光反射カバー３３は、順次に放熱ホルダー１０の第１の開口１０１に設けられる。
【００１５】
図６及び図７に示すように、図６は、放熱ホルダーの局所断面図である。図７は、電源モジュールの模式図である。図６に示すように、放熱ホルダー１０の内部は、第１の開口１０１に近接する箇所にロック構造１０３が設けられ、第２の開口１０２に近接する箇所に位置決め構造１０４が設けられ、放熱ホルダー１０の外縁には、複数の放熱フィン１０５が設けられている。位置決め構造１０４は、複数のロック孔溝１０４１と、複数のロック部溝１０４２と、防水溝１０４３とを含む。好ましくは、ロック構造１０３は、ねじ山構造であり、ロック孔溝１０４１は、ネジ孔であり、放熱ホルダー１０は、アルミニウムダイキャストの部材であり、それらの放熱フィン１０５を一度に形成するものであってもよい。図７に示すように、電源上蓋２４は、露出孔溝２４２と複数のロック部２４１とを有する。電源ハウジング２１の係合構造２１１は、複数のロック孔２１１１と、複数のロック部２１１２とを有する。電源コネクタ２２は、電源ハウジング２１内に設けられる。電源コネクタ２２の一端は、導電ホルダー２３に電気的に接続され、電源コネクタ２２の他端は、電源上蓋２４の露出孔溝２４２に設けられる。発光ユニット３１は、電気コネクタ３１１を有する。発光ユニット３１は、電気コネクタ３１１が電源上蓋２４の露出孔溝２４２内の電源コネクタ２２に直接挿設することにより、電源コネクタ２２に電気的に接続してもよい。電源上蓋２４及び電源ハウジング２１は、複数のロック部材（例えばネジなど）により複数のロック部２４１、２１１２を穿設することにより、電源上蓋２４を電源ハウジング２１にロックする。同様に、電源モジュール２０は、複数のロック部材によりそれらのロック孔２１１１、放熱ホルダー１０における対応するそれらのロック孔１０４１を穿設することにより、電源モジュール２０を放熱ホルダー１０内にロックする。電源モジュール２０のそれらのロック部２４１、２１１２は、放熱ホルダー１０における対応するそれらのロック溝１０４２内に係合される。また、電源モジュール２０は、放熱ホルダー１０にロックされる前に、まず、第１の防水部材Ａを嵌設する必要がある。電源モジュール２０が放熱ホルダー１０内に設けられた場合、該第１の防水部材Ａが放熱ホルダー１０の防水溝１０４３に対応して設けられることにより、放熱ホルダー１０の第２の開口１０２は、防水効果を奏することができる。
【００１６】
上述したものは、本考案の好ましい実施例に過ぎず、本考案の実施の範囲を限定するためのものではなく、本考案の明細書及び図面内容に基づいてなされた均等な変更は、いずれも本考案の実用新案登録請求の範囲内に含まれるものとする。
【符号の説明】
【００１７】
１      防水灯具装置
１０    放熱ホルダー
１０１  第１の開口
１０２  第２の開口
１０３  ロック構造
１０４  位置決め構造
１０４１  ロック孔溝
１０４２  ロック部溝
１０４３  防水溝
１０５  放熱フィン
２０    電源モジュール
２１    電源ハウジング
２１１  係合構造
２１１１  ロック孔
２１１２  ロック部
２１２  防水溝
２２    電源コネクタ
２３    導電ホルダー
２４    電源上蓋
２４１  ロック部
２４２  露出孔溝
３０    発光モジュール
３１    発光ユニット
３１１  電気コネクタ
３２    第１の載置板
３３    光反射カバー
３４    第２の載置板
４０    光透過カバー
４０１  ロック構造
Ａ      第１の防水部材
Ｂ      第２の防水部材
【図１】
0003186758.tif 000003
【図２】
0003186758.tif 000004
【図３】
0003186758.tif 000005
【図４】
0003186758.tif 000006
【図５】
0003186758.tif 000007
【図６】
0003186758.tif 000008
【図７】
0003186758.tif 000009
【図８】
0003186758.tif 000010
【図９】
0003186758.tif 000011